(57)【要約】【課題】従来の骨組みは、金属製枠組みで融通が利かず重い上、組み立てに手間がかかる。スペースが狹い上傾斜地やアップダウンの敷地等  多彩な場所での設置は出来ない。従来のネットは覆う方法の為、取り外しが簡単に出来ず、風が強くなりそうな時の取り外しが容易でない。従来は金属製で、ドローンの無線操縦における電波障害を起こす危険性が有ると指摘されていた。【解決手段】傾斜に対応したベースプレートと支柱保持具、柔軟な支柱と構造用ロープで構造体を構成し、ネットを成形したケージを補助ロープで吊り上げる事で課題を解決した。組み立てはタテ×ヨコ×高さを決めた１ユニットを基本とする構造で、４本の柔軟な支柱と支柱を支える四方に張られた構造用ロープと支持材でユニットを構成しながら組み立て、必要な広さに設営し、その内側に成形したネットを吊り上げてケージを完成する。【選択図】図１
2018017106.tif 000002
【特許請求の範囲】
【請求項１】
地面上に設置されるベースプレートと、その上に固定される支柱保持具を介して支柱を設置し、支柱を介してネットを張る方法であって、支柱保持部分の裏面側中央部に半球状の凸部を有する支柱保持具をベースプレート上に固定することにより、支柱を鉛直方向に簡便に設置可能にして、支柱の内側に目的のネットを簡便に張る方法。
【請求項２】
設置する支柱が柔軟性を有する素材を用いる請求項１記載の方法。
【請求項３】
支柱の上端部分に支柱の円周方向に回転可動するロープ取り付け具を介して支柱を設置する請求項１及び又は２に記載の方法。
【請求項４】
支柱の上部分２か所に２本のロープを通しても、それぞれのロープに滑車の要を成す縦に２分割した専用滑車を介してネットの中央部と端部を吊り上げネットを均等に張る為の請求項１及び又は２及び又は３に記載の方法。
【請求項５】
請求項１〜４の少なくとも何れかひとつに記載の方法に供する、ベースプレート、支柱保持具、支柱及びロープ取り付け具、専用滑車を含むネットを張る為のセット。
【発明の詳細な説明】
【技術分野】
【０００１】  本発明はドローンの飛行訓練や講習及び飛行遊具を使ったイベント等で、必要に応じたスペースを確保出来れば、それに応じたケージを提供し、操縦ミスや操縦不能に至った時、暴走を阻止する防護ネット、及び果樹園等で防鳥獣ネットを張る為の装置及び方法に関する。
【背景技術】
【０００２】  従来はステージ等で使用する鋼製枠や鋼製のパイプを組み立てる方法で骨組みを作り、ネットをかぶせる方法でネットを張る方法や、球技場でコンクリート柱や鉄骨支柱にネットを張ったものが採用されていた。これらの骨組みは、剛性で融通が利かず重い上、組み立てに手間がかかり、スペースが狭い上、取り外しが簡単に出来ず、風が強くなりそうな時の取り外しが容易でない。又、傾斜地やアップダウンの敷地等多彩な場所での設置は出来ないといった課題があった。【０００３】  特許文献１及び２に、ネットの昇降方法に関する発明が開示されているが、いずれも、固定式の支柱を対象にしたもので、移動できる支柱を対象にした技術ではない。金属製支柱の場合には、ドローンの無線操縦における電波障害を起こす危険性が有ること、組み立て解体に相当手間がかかること等の課題があった。
【先行技術文献】
【特許文献】
【０００４】
【特許文献１】特開２０００−３５１５８２号公報
【特許文献２】特開２０００−３７４９２号公報
【発明概要】
【発明が解決しようとする課題】
【０００５】無線障害が起こりにくく、移動式で、設置場所を任意に選択でき、ドローンの飛行訓練や講習に使用できるだけでなく、果樹園等での防鳥獣にも使えるネットで取り外しが簡単なネットを張るための装置及び方法を提供する。
【課題を解決しようとする手段】
【０００６】（１）地面上に設置されるベースプレートと、その上に固定される支柱保持具を介して支    柱を設置し、支柱を介してネットを張る方法であって、支柱保持部分の裏面側中央部    に半球状の凸部を有する支柱保持具をベースプレート上に固定することにより、支柱    を鉛直方向に簡便に設置可能にして、支柱の内側に目的のネットを簡便に張る方法。
（２）設置する支柱が柔軟性を有する素材を用いる前記（１）に記載の方法。
（３）支柱の上端部分に支柱の円周方向に回転可動するロープ取り付け具を介して支柱を    設置する前記（１）及び又は（２）に記載の方法。
（４）支柱の上部分２か所に２本のロープを通しても、それぞれのロープに滑車の要を成    す縦に２分割した専用滑車を介してネットの中央部と端部を吊り上げネットを均等に    張る為の前記（１）及び又は（２）及び又は（３）に記載の方法。
（５）前記（１）〜（４）の少なくとも何れかひとつに記載の方法に供する、ベースプレ    ート、支柱保持具、支柱及びロープ取り付け具、専用滑車を含むネットを張る為のセ    ット。
【発明の効果】
【０００７】  本発明は、多様な場所でも支柱を鉛直方向に簡便に設置でき、地盤やネットによって柱にかかる歪を支柱が柔軟性を有する事で補い、軽量で多様な場所での設置を可能にする。
さらに、円周方向に回転可動するロープ取り付け具で、支持方向に構造用ロープを張る事が出来、支柱の上部とネット高さに専用滑車を設けネットの中央部と端部を吊り上げて垂れ下がりを軽減する事が出来、専用滑車で１つの滑車に２本のロープを通す事が出来、拡張する時の隣接ネットをそれぞれ引き上げる事を可能にする。縦、横、高さを予め決めたユニットを基本単位として簡単に組み立てられることから、必要な広さに柔軟に適用したネットを張ることが可能になる。また、本発明の方法は構造上金属をほとんど使用しない為、電波障害を起こす危険性が無いという効果がある。
【図面の簡単な説明】
【０００８】
【図１】本発明の全体の構成を示し、円周方向に回転可動するロープ取り付け具と構造ロープの実施形態を示す立面図と平面図。
【図２】本発明の柱を固定する為の実施形態を示す部分の立面図と平面図。
【図３】本発明のロープを通す専用滑車を示す詳細図。
【図４】実施形態を示した平面図と立面姿図。
【発明を実施するための形態】
【０００９】  以下、本発明の実施の形態を図１〜図５に基づいて説明する。
図においては、ベースプレート１の四方から鋼管１５を差し込み、通しボルト２でベースプレート１と支柱を固定する。支柱保持具３と一体で支柱保持具の裏面中央部の半球状凸部４を設けることによって、この半球状凸部が支柱を垂直にするための支点となる。支柱を垂直に固定するための通しボルトのナット５で固定する。柔軟性を有する素材のベースプレート６、柔軟性を有する軽量な素材の支柱７及び柔軟性を有する素材のソケット８で支柱を接続する。
【００１０】  支柱上部に設けた２か所のソケット８にネットを吊り上げる為の専用滑車９を組み込んだ専用滑車組込ソケット８．９で、柔軟性を有する軽量な素材の支柱７を接続し、円周方向に回転可動するロープ取り付け具１０を差し込み、最上部に取り付けるキャップ１１を取り付ける。構造ロープ１２で支柱同士をロープ取り付け具１０を介して固定し、補助ロープ１３・１４で専用滑車９を介してネットを吊り上げ、構造ロープ１２補助ロープ１３・１４の他端は、地面に固定する。
【実施例】
【００１１】（１）ベースプレートを勾配に関係なく地盤に直接配置する。
（２）ベースプレートに建て方用鋼管を四方に取付る。
（３）支柱をロープで地面に固定する為の杭あるいは重り等を配置する。
（４）柔軟性の素材を有する支柱（以下支柱）を指定された高さ（長さ）に接続する。
（５）計画位置のスパン長に合った構造ロープを、支柱先端の円周方向に回転可動するロ    ープ取り付け具を介して取り付ける。
（６）ネットの吊り上げ用補助ロープを中央部は上部滑車、端部用はネット高さの滑車に    通す。
（７）支柱保持具をベースプレートの上に通しボルトを挿入しながら取り付ける。
（８）１本目の（４）〜（６）で組み立てられた支柱を支柱保持具上に立て鉛直方向を確    認しながらベースプレート・支柱保持具・支柱を通しボルトで固定する。
（９）構造ロープを結束する。
（１０）（４）〜（６）で組み立てられた２本目の支柱に１本目の支柱の構造ロープを接    続し支柱保持具上に立て通しボルトで固定する。
（１１）（４）〜（１０）の手順を繰り返し、構造ロープを梁間方向・桁行方向に張り巡    らせて支柱を支持する。
（１２）支柱の内側に上面のネットと側面のネットを結束し成形する。
（１３）（１２）で成形したネットの中央部と端部を（６）の補助ロープに結束し、順番    に吊り上げ（３）に結束する。
（１４）全て吊上げが完了に近づくと歪が端部の補助ロープを介して支柱に表れる。
（１５）大きい歪を構造ロープと補助ロープで調整し建て方用鋼管を取り外す。
（１６）組み上がった後に強風による倒壊の恐れがある場合、補助ロープを緩めネットを    吊り下し束ねるか、取り外す事で回避する事が出来る。
（１７）解体は逆手順で行う。【００１２】以下、上記工程の動作を説明する。
ベースプレート１に通しボルト２を上向きに４本通した状態で、設定した現状の地盤の上に置き、４方に鋼管１５を差し込み、半球状支点４と一体となった支柱保持具３を通しボルト２に通し軽微な傾斜でも水平を出せる土台を形成する。
柔軟性を有する素材のベースプレート６を柔軟性を有する軽量な素材の支柱７に接合し、１段目を形成。柔軟性を有する素材のソケット８を柔軟性を有する支柱７に接合し、２段目を形成。柔軟性を有する素材のソケット８に専用滑車９を組み込んだ専用滑車組込ソケット８．９を７の柔軟性を有する支柱の下側と上側に同方向に接合し、上端部に円周方向に回転可動するロープ取り付け具１０を差し込み、支柱キャップ１１を取り付けて３段目の支柱を形成し、１・２・３段を差し込んで１本の柔軟性を有する素材の支柱を構成する。
上記の支柱の上端部の円周方向に回転可動するロープ取り付け具１０に構造ロープ１２を取り付け、３段目の上側の専用滑車９に中央部吊り上げ用補助ロープ１３を通し、３段目の下側の専用滑車９に端部吊り上げ用補助ロープ１４を通す。【００１３】  この時、出隅部の支柱には上下共１本の補助ロープを通し、その他の支柱には２本の補助ロープを通す事でネットを支持方向に吊り上げる。又、専用滑車は２本のロープをそれぞれ引き上げた場合であっても、縦割りにした左右の滑車が自由に回転する事で良好な作動を実現する。以上によって１本の支柱の全体を構成する。【００１４】  前記で形成した土台の通しボルト上に前記で形成した支柱を鉛直方向を確認しながら通しボルトのナット５で固定し、地面に固定した支持材と支柱上端部の構造ロープ１２を張り、次の支柱に構造ロープ１２を渡し同様に鉛直方向を確認しながらボルトのナット５で固定し、支持材と支柱上端部の構造ロープ１２を張り、それを繰り返し全ての支柱の建て方を行い、ネットを張る為の支柱セットを完成する。
【符号の説明】
【００１５】  １    ベースプレート。
２    通しボルト。
３    支柱保持具。
４    支柱保持具の裏面中央部の半球状凸部。
５    通しボルトのナット。
６    柔軟性を有する素材のベースプレート。
７    柔軟性を有する素材の支柱。
８    柔軟性を有する素材の接続ソケット。
９    専用滑車。
８．９  専用滑車組込支柱接続ソケット。
１０    円周方向に回転可動するロープ取り付け具。
１１    柔軟性を有する素材の支柱キャップ。
１２    構造ロープ。
１３    中央部吊り上げ用補助ロープ。
１４    端部吊り上げ用補助ロープ。
１５    建て方用鋼管。
【図１】
2018017106.tif 000003
【図２】
2018017106.tif 000004
【図３】
2018017106.tif 000005
【図４】
2018017106.tif 000006